(57)【要約】      （修正有）【課題】気温の変化により発生する看板の表示画質の低下や歪みや破損等を防止可能なＬＥＤ照明看板やそれに使用するＬＥＤ面照明器具を提供する。【解決手段】外枠と、これによって支えられる複数のＬＥＤ光源２および入射された前記ＬＥＤ光源の光を内部に伝搬させて出射面から出射する複数の導光板３とを備え、導光板の出射面の上にイメージ画像を形成した素材に照明を与える照明看板において、コの字状で溝の中にＬＥＤ光源収納部材４を溝の深さ方向に弾性体５により摺動可能に設け、該ＬＥＤ光源収納部材４により導光板３を押圧固定する光源収納部材付枠１Ａを外枠の少なくとも一つに使用した。【選択図】図３
2012141336.tif 000002
【特許請求の範囲】
【請求項１】
外枠と、これによって支えられる複数のＬＥＤ光源および入射された前記ＬＥＤ光源の光を内部に伝搬させて出射面から出射する複数の導光板とを備え、
導光板の出射面の上にイメージ画像を形成した素材に照明を与える照明看板において、
外枠のうちの少なくとも一つの枠が、
その断面がコの字状になるような溝を有するコの字状枠であって、その溝の中にＬＥＤ光源収納部材を溝の深さ方向に摺動可能に設けることができるようになっているＬＥＤ光源収納部材付枠であり、
該ＬＥＤ光源収納部材は、一個又は複数のＬＥＤ光源を内部に収納しそのＬＥＤ光源からの光を取り出す開口部を有し、その開口部を有する壁面により導光板の端部の壁面を押圧する構造をもち、
該ＬＥＤ光源収納部材は前記ＬＥＤ光源収納部材付枠の溝の底部と弾性体を介して固定されており、
この弾性体の押圧力で前記ＬＥＤ光源収納部材を介して
導光板を反対にある外枠方向に押圧固定していることを特徴とする照明看板。
【請求項２】
外枠と、これによって支えられる複数のＬＥＤ光源および入射された前記ＬＥＤ光源の光を内部に伝搬させて出射面から出射する導光板とを備えた面照明器具において、
外枠のうちの少なくとも一つの枠が、
その断面がコの字状になるような溝を有するコの字状枠であって、その溝の中にＬＥＤ光源収納部材を溝の深さ方向に摺動可能に設けることができるようになっているＬＥＤ光源収納部材付枠であり、
該ＬＥＤ光源収納部材は、一個又は複数のＬＥＤ光源を内部に収納しそのＬＥＤ光源からの光を取り出す開口部を有し、その開口部を有する壁面により導光板の端部の壁面を押圧する構造をもち、
該ＬＥＤ光源収納部材は前記ＬＥＤ光源収納部材付枠の溝の底部と弾性体を介して固定されており、
この弾性体の押圧力で前記ＬＥＤ光源収納部材を介して
導光板を反対にある外枠方向に押圧固定していることを特徴とする面照明器具。
【請求項３】
ＬＥＤ光源収納部材が、断面がコの字状であってその開口部からＬＥＤ光が取り出すことができ、その開口部には内側に突起し長手方向にのびた突起部）があって、該突起部が形成する壁において導光板と接している構造を持つ請求項１に記載の照明看板または請求項２に記載の面照明器具。
【発明の詳細な説明】
【技術分野】
【０００１】
本発明は、看板、標識その他の表示装置や装飾用装置並びに面照明等に用いられる平面発光装置に関し、特に、光源として発光ダイオード（Light Emitting Diode：以下ＬＥＤ）素子を用いた平面発光装置及びこれを備えた照明看板並びに面照明に関する。
【背景技術】
【０００２】
従来、店舗の広告や案内等を行うための照明看板として、透光性のパネルを配置した看板枠内に光源を設けることで、パネルを発光させて写真、文字や図形等を表示するものが存在する。この種の照明看板では、近年、省電力、省スペース、及び長寿命等の観点から、従来の光源（蛍光管、ネオン管、冷陰極管、及びハロゲン管等）の代替としてＬＥＤを採用したものが開発されている。
【０００３】
そのようなＬＥＤを採用した照明看板として、例えば、ＬＥＤからの光をアクリル樹脂等からなる導光板の端面を通してその内部に導入し、写真や図形や文字パターンを設けたイメージ板の平面を均一に照明するようにしたものが知られている（特許文献１参照）。
【０００４】
【特許文献１】特開２００９−９８２５号公報（図1および図４など）
【発明の開示】
【発明が解決しようとする課題】
【０００５】
上記の照明看板は、屋外に設けられることが多い。看板サイズが大きくなると導光板等のプラスチック板材のサイズも大きくなり、導光板等が気温の変化により大幅に伸縮して導光板等プラスチック板材が撓み、看板としての表示画質が低下したり、ＬＥＤと導光板との間の距離が変化して、面照度が下がり又面内照度ムラが発生したり、時にはプラスチック板材が脱落や破損する場合があった。
【０００６】
本発明は、このような従来技術の課題を鑑みて案出されたものであり、その主目的は、気温の変化により発生する看板の表示画質の低下や歪みや破損等を防止可能な照明看板やそれに使用する面照明器具を提供することにある。
【課題を解決するための手段】
【０００７】
上記の課題は、下記の発明により解決される。
発明１
外枠（１Ａや１Ｂ）と、これらによって支えられる複数のＬＥＤ光源（２）および入射された前記ＬＥＤ光源の光を内部に伝搬させて出射面から出射するの導光板（３）とを備え、
導光板の出射面の上に配置されるイメージ画像に照明を与える照明看板において、
外枠のうちの少なくとも一つの枠（１Ａ）が、
その断面がコの字状になるような溝を有するコの字状枠であって、その溝の中にＬＥＤ光源収納部材（４）を溝の深さ方向に摺動可能に設けることができるようになっているＬＥＤ光源収納部材付枠（１Ａ）であり、
ＬＥＤ光源収納部材（４）は、一個または複数のＬＥＤ光源を内部に収納しそのＬＥＤ光源からの光を取り出す開口部を有し、その開口部を有する壁面により導光板（３）の端部のの壁面を押圧する構造をもち、
該ＬＥＤ光源収納部材（４）は前記ＬＥＤ光源収納部材付枠（１Ａ）の溝の底部と弾性体（５）を介して固定されており、
この弾性体の押圧力でＬＥＤ光源収納部材（４）を介して
導光板３を反対にある外枠方向に押圧固定していることを特徴とする照明看板
発明２
外枠（１Ａや１Ｂ）と、これによって支えられる一個または複数のＬＥＤ光源（２）および入射された前記ＬＥＤ光源の光を内部に伝搬させて出射面から出射する導光板（３）とを備えた面照明器具において、
外枠のうちの少なくとも一つの枠（１Ａ）が、
その断面がコの字状になるような溝を有するコの字状枠であって、その溝の中にＬＥＤ光源収納部材（４）を溝の深さ方向に摺動可能に設けることができるようになっているＬＥＤ光源収納部材付枠（１Ａ）であり、
該ＬＥＤ光源収納部材（４）は、一個または複数のＬＥＤ光源を内部に収納しそのＬＥＤ光源からの光を取り出す開口部を有し、その開口部を有する壁面により導光板（３）の端部の壁面を押圧する構造をもち、
該ＬＥＤ光源収納部材（４）は前記ＬＥＤ光源収納部材付枠（１Ａ）の溝の底部と弾性体（５）を介して固定されており、
この弾性体の押圧力で前記ＬＥＤ光源収納部材（４）を介して
導光板（３）を反対にある外枠方向に押圧固定していることを特徴とする面照明器具。
発明３は、ＬＥＤ光源収納部材（４）が、
断面がコの字状であってその開口部からＬＥＤ光が取り出すことができ、その開口部には内側に突起し長手方向にのびた突起部（４Ａ）があって、該突起部（４Ａ）が形成する壁において導光板と接している構造を持つことを特徴とする発明１の照明看板または発明２の面照明器具である。
【０００８】
図１は、本発明の概略を示す斜視図である。この図ではＬＥＤ光源収納部材付枠（１Ａ）が導光板の対向した端部に２本使用している例である。導光板の下の端部は凹型をした枠（１Ｂ）で支えられている。上部は図示していないが、下の端部に使用したものと同じものを使用する。
また、上下の寸法が短い場合、ＬＥＤ光源収納部材付枠（１Ａ）を上下に採用し、左右は凹型枠（1Ｂ）を採用してもよい。
外枠に使用する材料としては、アルミが望ましく、鉄でもよい。
【０００９】
図２は本発明の特徴であるＬＥＤ光源収納部材付枠（１Ａ）の斜視図である。６の空間に複数のバネをＬＥＤ光源収納部材（４）とＬＥＤ光源収納部材付枠（１Ａ）の壁との間での寸法変化が吸収できるように設けられる。
本発明では、導光板（３）等プラスチック部材が伸長してもＬＥＤ光源と導光板端部との距離を変えることなく導光板の寸法変化を吸収でき、簡単な部品で導光板出射面が発する光の照度を一定に保ちつつ導光板等への応力・歪発生を防止できる。
弾性体としては金属製バネ、あるいはプラスチック製バネが適当であるが、導光板等の伸長を吸収できる弾性体なら何でもよい。
【００１０】
図３は、本発明のＬＥＤ光源収納部材付枠（１Ａ）の断面図である。
導光板（３）の前にはアクリル製等の保護板（７）が設けられ、導光板（３）との間にイメージ画像が描出された素材が置かれる。ここでイメージ画像素材は透明支持体からなるポジ画像でもよいし、不透光性素材で作成された図形や文字でもよい。面照明に使う場合には、イメージ画像を挟まない構造となることもある。ＬＥＤ光源からの光は矢印のように導光板を通り、保護板（７）と導光板（３）との間に置かれたイメージ画像素材を照射し、文字、図形あるいは写真画像等を表現する。
【００１１】
図４−１は、ＬＥＤ光源収納部材（４）の具体例１であり、図４−２は別の具体例２である。具体例２の開口部は長方形であるが、丸形でもよい。
【発明の効果】
【００１２】
気温の変化によって発生する看板の撓みや照度の変化、照度ムラ発生を防止できる。
【図面の簡単な説明】
【００１３】
【図１】本発明の概略を示す斜視図である。
【図２】本発明の特徴であるＬＥＤ光源収納部材付枠（１Ａ）の斜視図である。
【図３】本発明のＬＥＤ光源収納部材付枠（１Ａ）の断面図である。
【図４】図４−１はＬＥＤ光源収納部材の具体例１であり、図４−２は別の具体例２である。
【符号の説明】
【００１４】
１Ａ、ＬＥＤ光源収納部材付枠
１Ｂ、凹型枠
２、  ＬＥＤ光源３、アクリル製等の導光板
４、ＬＥＤ光源収納部材
４Ａ、突起部
５、  バネ
６、  バネ収納部
７、  アクリル製等の保護板。
【図１】
2012141336.tif 000003
【図２】
2012141336.tif 000004
【図３】
2012141336.tif 000005
【図４】
2012141336.tif 000006